(57)【要約】【課題】配線を固定すること。【解決手段】機構盤には上取付台６２および下取付台６３相互間に位置してケーブル収納部６８が形成されている。このケーブル収納部６８はメイン基板ボックス８１の取外し状態で後面からケーブルの一部が挿入されるものであり、メイン基板ボックス８１は操作板８６を通して上取付台６２および下取付台６３のそれぞれにナイラッチ８７が挿入されることで固定され、操作板８６はメイン基板ボックス８１が固定されることでケーブル収納部６８の後面を閉鎖し、ケーブルの一部をケーブル収納部６８内に固定する。【選択図】図１１
2010207326.tif 000002
【特許請求の範囲】
【請求項１】
遊技球が発射されるものであって、遊技者側である前面に当該遊技球が転動することが可能な転動領域を有する遊技盤と、
前記遊技盤より後方に設けられ、相互に離間して配置された２つの取付台と、
前記遊技盤より後方の予め決められた一定位置に配置されることで前記２つの取付台のそれぞれに後方から対向する取付板を有する遊技部品と、
前記遊技部品を前記一定位置に固定するための第１の状態および前記一定位置から除去するための第２の状態相互間で操作することが可能な固定具と、
一端部が前記遊技部品の前方であって前記遊技盤より後方の前方領域内に配置され、他端部が前記遊技部品の外周部の外周領域内に配置された電気的な配線と、
前記２つの取付台相互間に設けられ、後面が開口するものであって前記配線の一部が挿入された隙間状の配線収納部を備え、
前記遊技部品の取付板は、
前記遊技部品が前記一定位置に固定された状態になることで前記配線収納部内に前記配線の一部を固定するように前記配線収納部の後面を後方から閉鎖するものであって、前記遊技部品が前記一定位置から除去された状態になることで前記配線収納部の後面を開放するものであることを特徴とするパチンコ遊技機。
【発明の詳細な説明】
【技術分野】
【０００１】
本発明は遊技盤の後方に電気的な配線を固定するための機構を備えたパチンコ遊技機に関する。
【背景技術】
【０００２】
上記パチンコ遊技機には遊技盤の後面にハーネスフックを固定し、電気的な配線をハーネスフックに引掛けることで固定する構成のものがある。
【先行技術文献】
【特許文献】
【０００３】
【特許文献１】特開２００６−９５１６１号公報
【発明の概要】
【発明が解決しようとする課題】
【０００４】
特許文献１には基板ボックス等の遊技部品および遊技盤相互間で電気的な配線の一部を挟んで固定する技術が記載されている。この特許文献１は遊技部品の外周部の外周領域内に一端部および他端部のそれぞれが配置された配線の一部を固定するものであり、一端部が遊技部品の前方の前方領域内に配置され且つ他端部が遊技部品の外周部の外周領域内に配置された配線の一部を固定するものではない。
【課題を解決するための手段】
【０００５】
本発明のパチンコ遊技機は［１］遊技盤〜［６］配線収納部を備えたものであり、［７］遊技部品が一定位置に固定されることで電気的な配線の一部が固定されるところに特徴を有する。
［１］遊技盤は遊技球が発射されるものであり、遊技者側である前面に遊技球が転動することが可能な転動領域を有するものである。図２の符号２１は遊技盤であり、遊技領域２６は転動領域に相当する。
［２］２つの取付台のそれぞれは遊技盤より後方に設けられたものであり、相互に離間して配置されている。図６の上取付台６２および図６の下取付台６３のそれぞれは取付台に相当する。
［３］遊技部品は遊技盤より後方の予め決められた一定位置に配置されることで２つの取付台のそれぞれに後方から対向する取付板を有するものである。図７のメイン基板ボックス８１は遊技部品に相当し、図７の操作板８６は取付板に相当する。
［４］固定具は遊技部品を一定位置に固定するための第１の状態および一定位置から除去するための第２の状態相互間で操作することが可能なものである。図１１の２個のナイラッチ８７のそれぞれは固定具に相当するものであり、固定具８７が取付板８６を通して取付けられた状態は第１の状態に相当し、固定具８７が取付板８６を通して取外された状態は第２の状態に相当する。
［５］配線は一端部が遊技部品の前方であって遊技盤より後方の前方領域内に配置され、他端部が遊技部品の外周部の外周領域内に配置されたものであり、図５のケーブル５９およびケーブル６０のそれぞれは配線に相当する。
［６］配線収納部は２つの取付台相互間に設けられた隙間状をなすものある。この配線収納部は後面が開口するものであり、配線の一部は配線収納部内に挿入されている。図６のケーブル収納部６８は配線収納部に相当する。
［７］遊技部品の取付板は遊技部品が一定位置に固定された状態になることで配線収納部内に配線の一部を固定するように配線収納部の後面を後方から閉鎖するものであり、遊技部品が一定位置から除去された状態になることで配線収納部の後面を開放する。このため、一端部が前方領域内に配置され且つ他端部が外周領域内に配置された配線であっても、遊技部品を一定位置から取外した状態で配線の一部を配線収納部内に挿入し、遊技部品を一定位置に固定具を介して固定することで配線の一部を配線収納部内に脱落不能に固定できる。
【図面の簡単な説明】
【０００６】
【図１】パチンコ遊技機の外観を示す斜視図
【図２】パチンコ遊技機の外観を前枠の除去状態で前方から示す図
【図３】内枠の外観を示す斜視図
【図４】遊技盤を前方から示す図
【図５】電気的な構成を示す図
【図６】（ａ）は遊技盤を払出基板ボックスおよびメイン基板ボックスの取外し状態で後方から示す図、（ｂ）はＸ６ｂ部を拡大して示す図
【図７】遊技盤をメイン基板ボックスの閉鎖状態で後方から示す図
【図８】遊技盤をメイン基板ボックスの取外し状態で後方から示す図
【図９】図７のＸ９部を拡大して示す図
【図１０】図７のＸ１０線に沿う断面図
【図１１】図７のＸ１１線に沿う断面図
【図１２】図７のＸ１２部を拡大して示す図
【発明を実施するための形態】
【０００７】
外枠１は、図１に示すように、複数の木材を前面および後面のそれぞれが開口する四角筒状に相互に接合することから構成されたものであり、外枠１の前方には、図２に示すように、内枠２が上下方向へ指向する軸３を中心に回動可能に装着されている。この内枠２は縦長な四角環状をなすものであり、左板部と右板部と上板部と下板部を有している。この内枠２は外枠１の前端面に前方から接触する閉鎖状態および外枠１の前端面から前方へ離間する開放状態相互間で軸３を中心に回動操作されるものであり、内枠ロック機構を介して閉鎖状態にロックされている。この内枠２の下端部には台板部４が形成されている。この台板部４は垂直な板状をなすものであり、内枠２の下端部を前方から閉鎖している。
【０００８】
内枠２には、図１に示すように、内枠２の前方に位置して前枠５が装着されている。この前枠５は内枠２の前面を閉鎖する閉鎖状態および内枠２の前面を開放する開放状態相互間で内枠２と共通の軸３を中心に回動操作されるものであり、錠機構６を介して閉鎖状態にロックされている。この前枠５には円形状の貫通孔７が形成されており、貫通孔７の内周面には透明なガラス製の窓８が固定されている。
【０００９】
前枠５には、図１に示すように、前枠５の前方に位置して上皿９が固定されている。この上皿９は上面が開口する容器状をなすものであり、内枠２の台板部４には、図２に示すように、上皿９の後方に位置して払出口１０が形成されている。この払出口１０は遊技球を上皿９内に賞品として払出すものであり、払出口１０から上皿９内に払出された遊技球は上皿９内に貯留される。内枠２には、図１に示すように、上皿９の下方に位置して下皿板１１が固定されており、下皿板１１には下皿１２が固定されている。この下皿１２は上皿９内から溢れた遊技球を貯留するものであり、上面が開口する容器状をなしている。
【００１０】
下皿板１１には、図１に示すように、下皿１２の右方に位置してハンドル台１３が固定されており、ハンドル台１３にはハンドル１４が前後方向へ指向する軸１５を中心に回動可能に装着されている。このハンドル１４は遊技者が前方から手指で操作するものであり、ハンドル台１３内にはハンドルセンサ１６が固定されている。このハンドルセンサ１６はハンドル１４が予め決められた発射停止位置に静止したハンドル１４の非操作状態で電気的なオフ状態になるものであり、ハンドル１４が発射停止位置から図１の時計回り方向へ回動操作された操作状態で電気的なオン状態になる。
【００１１】
内枠２の台板部４には、図２に示すように、発射ソレノイド１７が固定されている。この発射ソレノイド１７はロータリーソレノイドからなるものであり、ハンドル１４が発射停止位置から時計回り方向へ回動操作されたハンドルセンサ１６の電気的なオン状態では発射ソレノイド１７に駆動電源が与えられる。この発射ソレノイド１７の出力軸には打球槌が連結されており、発射ソレノイド１７は駆動電源が与えられることに基づいて打球槌を待機位置および打球位置相互間で往復的に移動操作する。
【００１２】
内枠２の台板部４には、図２に示すように、発射レール１８が固定されている。この発射レール１８は打球槌が打球位置から待機位置に向けて移動開始することに連動して上皿９内から１個の遊技球が移送されるものであり、右から左に向けて上昇する傾斜状をなしている。この発射レール１８の右端部には球止め板１９が形成されており、球止め板１９には遊技球が通過することが不能な大きさの貫通孔が形成されている。この球止め板１９は上皿９内から発射レール１８に移送された遊技球が発射レール１８の右端部から転落することを防止するものであり、打球槌は待機位置から打球位置に移動することに基づいて球止め板１９が転落不能に支持する遊技球を球止め板１９の貫通孔を通して右から左に向けて叩き、発射レール１８に沿って右から左に向けて転動させる。
【００１３】
内枠２には、図３に示すように、台板部４の上方に位置して遊技盤収納部２０が形成されている。この遊技盤収納部２０は前面および後面のそれぞれが開口する四角筒状をなすものであり、前枠５の後方に配置されている。この遊技盤収納部２０の内周面には、図２に示すように、垂直な板状の遊技盤２１が前方から嵌合されており、遊技盤２１の前面には内レール２２と外レール２３と球止めゴム２４のそれぞれが固定されている。内レール２２は上面が開口する円弧状の金属板から構成されたものであり、外レール２３は内レール２２の外周部に配置された円弧状の金属板から構成されたものであり、球止めゴム２４は内レール２２の右端部および外レール２３の右端部相互間の隙間を塞ぐゴムから構成されている。
【００１４】
遊技盤２１には、図２に示すように、内レール２２および外レール２３相互間に位置して発射通路２５が形成されている。この発射通路２５は下端部および上端部のそれぞれが開口する円弧状をなすものであり、発射レール１８の左端部から発射された遊技球は発射通路２５の下端部の入口を通って発射通路２５内に進入する。この遊技球は発射通路２５に沿って円弧状の軌跡を描きながら上昇し、発射通路２５の上端部の出口から放出される。
【００１５】
遊技盤２１には、図２に示すように、発射通路２５の右方に隣接して遊技領域２６が形成されている。この遊技領域２６は内レール２２と外レール２３と球止めゴム２４で囲まれた領域のうち発射通路２５を除く残りの円形状の領域を称するものであり、発射通路２５の出口から放出された遊技球が転動することが可能な最大範囲に相当する。遊技盤２１には遊技領域２６内に位置して複数の障害釘が固定されており、発射通路２５の出口から遊技領域２６内に放出された遊技球は障害釘に当りながら遊技領域２６内を落下する。この遊技領域２６は前枠５の閉鎖状態で前枠５の窓８が前方から対向するものであり、前枠５の閉鎖状態で前方から窓８を通して視覚的に認識可能にされている。
【００１６】
遊技盤２１には、図４に示すように、遊技領域２６内に位置して垂直な板状の始動口台板２７が固定されており、始動口台板２７には上面が開口するポケット状の始動口２８が固定されている。この始動口２８は遊技盤２１の遊技領域２６内を転動する遊技球が入賞することが可能なものであり、始動口２８内に入賞した遊技球は遊技盤２１の後方に排出される。この始動口２８内には始動口センサ２９（図５参照）が固定されており、始動口センサ２９は遊技球が始動口２８内に入賞したことを検出して始動信号を出力する。
【００１７】
遊技盤２１には、図４に示すように、遊技領域２６内に位置して装飾枠３０が固定されている。この装飾枠３０は前面および後面のそれぞれが開口する筒状をなすものであり、装飾枠３０には装飾枠３０を取囲む環状の台板部３１が形成されている。この装飾枠３０は前方から台板部３１を通して遊技盤２１に複数のネジを螺合することで固定されたものであり、装飾枠３０には液晶表示器からなる図柄表示器３２が固定されている。この図柄表示器３２は遊技盤２１より後方に配置されたものであり、図柄表示器３２の表示内容は前方から前枠５の窓８および装飾枠３０の前面のそれぞれを通して視覚的に認識可能にされている。
【００１８】
遊技盤２１には、図４に示すように、遊技領域２６内に位置して垂直な板状の特別入賞口台板３３が固定されており、特別入賞口台板３３には特別入賞口３４が固定されている。この特別入賞口３４は前面が開口する箱状をなすものであり、特別入賞口３４には扉３５が左右方向へ指向する軸３６を中心に回動可能に装着されている。この扉３５は特別入賞口ソレノイド３７（図５参照）の出力軸に連結されており、特別入賞口ソレノイド３７の電気的なオフ状態で垂直な閉鎖状態になることに基づいて特別入賞口３４の前面を遊技球が入賞不能に閉鎖する。この扉３５は特別入賞口ソレノイド３７の電気的なオン状態で前方へ水平に倒れた開放状態に回動するものであり、扉３５の開放状態では遊技盤２１の遊技領域２６内を転動する遊技球が扉３５に乗って特別入賞口３４内に入賞することが許容され、特別入賞口３４内に入賞した遊技球は遊技盤２１の後方に排出される。この特別入賞口３４内にはカウントセンサ３８（図５参照）が固定されており、カウントセンサ３８は遊技球が特別入賞口３４内に入賞したことを検出してカウント信号を出力する。
【００１９】
遊技盤２１には、図４に示すように、アウト口３９が形成されている。このアウト口３９は内レール２２の最低部に配置されたものであり、始動口２９内および特別入賞口３４内のいずれにも入賞しなかった遊技球は内レール２２に沿ってアウト口３９内に進入する。このアウト口３９は遊技盤２１を前後方向に貫通するものであり、アウト口３９内に進入した遊技球は遊技盤２１の後方に排出される。内枠２には、図３に示すように、遊技盤２１より後方に位置して賞球タンク４０および賞球ケース４１が固定されている。賞球タンク４０は遊技球を貯留するものであり、上面が開口する容器状をなしている。賞球ケース４１は縦長な通路状をなすものであり、賞球ケース４１の上端部は賞球タンク４０内に接続されている。この賞球ケース４１は賞球タンク４０内から遊技球が上端部を通して供給されるものであり、賞球ケース４１内には賞球払出装置が固定されている。この賞球払出装置は払出モータ４２（図５参照）を駆動源として賞球ケース４１内の遊技球を賞球ケース４１の下端部から落下させるものであり、賞球ケース４１の下端部から落下した遊技球は払出口１０を通して上皿９内に払出される。
【００２０】
遊技盤２１の後面には、図６の（ａ）に示すように、機構盤４３が固定されている。この機構盤４３は開口部４４を有するものであり、開口部４４内には矩形箱状の演出基板ボックス４５が挿入されている。この演出基板ボックス４５は中空な箱状をなすものであり、図柄表示器３２の後面に固定されている。この演出基板ボックス４５内にはプリント配線基板からなる演出基板が収納されており、演出基板には演出制御回路４６（図５参照）が搭載されている。この演出制御回路４６は図柄表示器３２の表示内容を制御するものであり、マイクロコンピュータを主体に構成されている。
【００２１】
機構盤４３には、図７に示すように、センターカバー４７が着脱可能に固定されている。このセンターカバー４７は開口部４４を後方から閉鎖するものであり、機構盤４３には、図６に示すように、センターカバー４７の下方に位置してベース板４８が固定されている。このベース板４８は垂直な板状をなすものであり、ベース板４８および機構盤４３相互間には球通路が形成されている。この球通路は始動口２８を通して遊技盤２１の後方に排出された遊技球と特別入賞口３４を通して遊技盤２１の後方に排出された遊技球とアウト口３９を通して遊技盤２１の後方に排出された遊技球のそれぞれが進入するものであり、始動口２８〜アウト口３９のそれぞれを通して遊技盤２１の後方に排出された遊技球は球通路からパチンコールの島設備に排出される。
【００２２】
ベース板４８の右端部には、図６の（ａ）に示すように、プリント配線基板からなる中継基板４９が固定されており、中継基板４９にはコネクタ５１とコネクタ５２とコネクタ５３のそれぞれが搭載されている。これらコネクタ５１〜５３のそれぞれは後面が開口するものであり、図５に示すように、コネクタ５１には対のコネクタ５５が機械的および電気的に接続され、コネクタ５２には対のコネクタ５６が機械的および電気的に接続され、コネクタ５３には対のコネクタ５７が機械的および電気的に接続されている。対のコネクタ５５にはケーブル５９の一端部が接続され、対のコネクタ５６にはケーブル６０の一端部が接続され、対のコネクタ５７にはケーブル６１の一端部が接続されている。これらケーブル５９〜６１のそれぞれは導線および導線の外周面を被覆する合成樹脂製の絶縁被膜を有するものである。このうちケーブル６１の他端部は払出モータ４２に接続されており、払出モータ４２は中継基板４９に電気的に配線されている。
【００２３】
ベース板４８の左端部には、図６の（ａ）に示すように、上取付台６２および下取付台６３のそれぞれが固定されている。これら上取付台６２および下取付台６３のそれぞれはベース板４８から後方へ突出するものであり、上取付台６２の後面には垂直な平面状の上座面６４が形成され、下取付台６３の後面には垂直な平面状の下座面６５が形成されている。これら上座面６４および下座面６５のそれぞれは前後方向の位置が相互に同一に設定されたものであり、上取付台６２には上座面６４内に位置して円形状の上貫通孔６６が形成され、下取付台６３には下座面６５内に位置して円形状の下貫通孔６７が形成されている。
【００２４】
上取付台６２および下取付台６３は、図６の（ａ）に示すように、上下方向に相互に離間して配置されたものであり、上取付台６２の下面および下取付台６３の上面相互間には隙間状のケーブル収納部６８が形成されている。このケーブル収納部６８は後面が開口するものであり、図６の（ｂ）に示すように、右直状部６９と右傾斜部７０と中直状部７１と左傾斜部７２と左直状部７３を有している。右直状部６９と中直状部７１と左直状部７３のそれぞれは水平な直線状の部分を称するものであり、右直状部６９および左直状部７３のそれぞれは相互に同一の高さに配置され、中直状部７１は右直状部６９および左直状部７３のそれぞれに比べて低所に配置されている。右傾斜部７０は右直状部６９および中直状部７１相互間を接続する部分を称するものであり、右直状部６９および中直状部７１のそれぞれに対して傾斜する直線状をなしている。左傾斜部７２は中直状部７１および左直状部７３相互間を接続する部分を称するものであり、中直状部７１および左直状部７３のそれぞれに対して傾斜する直線状をなしている。
【００２５】
ケーブル収納部６８は、図６の（ｂ）に示すように、左右方向の全域で幅寸法Ｗが一定に設定されたものであり、ケーブル収納部６８の幅寸法Ｗはケーブル５９およびケーブル６０のそれぞれの直径寸法に比べて大きく設定されている。このケーブル収納部６８内には後面からケーブル５９およびケーブル６０のそれぞれが前後方向に相互に重ねて一列に収納されており、ケーブル５９の他端部およびケーブル６０の他端部のそれぞれはケーブル収納部６８内を通してベース板４８の外部に引出されている。
【００２６】
ケーブル５９の他端部には、図５に示すように、カウントセンサ３８が接続され、ケーブル６０の他端部には特別入賞口ソレノイド３７が接続されており、カウントセンサ３８および特別入賞口ソレノイド３７のそれぞれは中継基板４９に電気的に配線されている。これらケーブル５９およびケーブル６０のそれぞれは外力が作用していない自然状態で直線状をなすものであり、右直状部６９と中直状部７１と左直状部７３のそれぞれでケーブル収納部６８の内面に密着せずに右傾斜部７０および左傾斜部７２のそれぞれでケーブル収納部６８の内面に弾性復元力で密着し、ケーブル収納部６８の内面に対する密着力で左右方向へずれ動くことが防止されている。
【００２７】
ベース板４８には、図８に示すように、払出基板ボックス７４が着脱可能に固定されている。この払出基板ボックス７４は、図１０に示すように、後面が開口する前ケース７４ａおよび前面が開口する後ケース７４ｂ相互間を接合してなる中空な箱状をなすものであり、中継基板４９は払出基板ボックス７４の前方に対向配置され、ケーブル５８とケーブル５９とケーブル６０のそれぞれの一端部は遊技盤２１より後方でベース板４８および払出基板ボックス７４相互間に介在されている。この払出基板ボックス７４の後ケース７４ｂは透明な合成樹脂を材料とするものであり、払出基板ボックス７４の内部は払出基板ボックス７４をベース板４８に取付けたままの取付け状態で後方から払出基板ボックス７４の後ケース７４ｂを通して視覚的に認識可能にされている。
【００２８】
払出基板ボックス７４内には、図１０に示すように、払出基板７５が収納されており、払出基板７５の後面は払出基板ボックス７４の取付け状態で後方から払出基板ボックス７４の後ケース７４ｂを通して視覚的に認識可能にされている。この払出基板７５は垂直なプリント配線基板からなるものであり、払出基板７５の後面には払出基板ボックス７４内に位置して払出制御回路７６（図５参照）が搭載され、払出制御回路７６は中継基板４９のコネクタ５３と対のコネクタ５７とケーブル６１のそれぞれを介して払出モータ４２に接続されている。この払出制御回路７６はマイクロコンピュータを主体に構成されたものであり、払出モータ４２を駆動制御することで賞球タンク４０内の遊技球を上皿９内に払出す。
【００２９】
ベース板４８には、図８に示すように、払出基板ボックス７４の右方に位置して２個の軸受７７が固定されている。これら両軸受７７のそれぞれは水平な板状をなすものであり、上下方向に相互に離間して配置されている。これら両軸受７７のそれぞれには、図９に示すように、円形状の貫通孔７８が形成されており、両貫通孔７８内のそれぞれには上方から回転軸７９が挿入されている。これら両回転軸７９のそれぞれは垂直な円柱状をなすものであり、垂直な共通の軸心線を中心に回動可能にされている。これら両回転軸７９のそれぞれの上端部にはストッパ８０が固定されている。これら両ストッパ８０のそれぞれは水平な板状をなすものであり、両回転軸７９のそれぞれはストッパ８０が軸受７７に上方から接触することで脱落不能にされている。
【００３０】
両ストッパ８０のそれぞれには、図９に示すように、共通のメイン基板ボックス８１が固定されている。このメイン基板ボックス８１は、図１０に示すように、後面が開口する前ケース８２および前面が開口する後ケース８３を相互に接合してなる中空な箱状をなすものであり、メイン基板ボックス８１の前ケース８２は有色不透明な合成樹脂を材料に形成され、メイン基板ボックス８１の後ケース８３は透明な合成樹脂を材料に形成されている。
【００３１】
メイン基板ボックス８１は閉鎖状態および開放状態相互間で両回転軸７９を中心に回動操作される。このメイン基板ボックス８１の閉鎖状態は、図７に示すように、メイン基板ボックス８１が後方から払出基板ボックス７４に対向した状態であり、メイン基板ボックス８１の閉鎖状態では払出基板ボックス７４と中継基板４９とケーブル５９の一端部とケーブル６０の一端部とケーブル６１の一端部のそれぞれがメイン基板ボックス８１の前方で遊技盤２１より後方の前方領域内に配置され、メイン基板ボックス８１の前ケース８２が払出基板ボックス７４〜ケーブル６１の一端部のそれぞれを後方から視覚的に認識不能に隠す。このメイン基板ボックス８１内には、図１０に示すように、垂直なメイン基板８４が収納されており、メイン基板８４の後面はメイン基板ボックス８１の閉鎖状態でメイン基板ボックス８１の後ケース８３を通して目視で点検可能にされている。
【００３２】
メイン基板ボックス８１の開放状態はメイン基板ボックス８１が閉鎖状態から両回転軸７９を中心に後方へ回動操作された状態である。このメイン基板ボックス８１の開放状態では払出基板ボックス７４が後方から視覚的に認識可能に開放され、後方から払出基板ボックス７４の後ケース７４ｂを通して払出基板７５の後面を目視で点検することが可能になる。このメイン基板ボックス８１はメイン基板ボックス８１を上方へ移動操作して両回転軸７９のそれぞれを軸受７７の貫通孔７８内から抜取ることでベース板４８から取外され、両回転軸７９のそれぞれを軸受７７の貫通孔７８内に挿入することでベース板４８に再び取付けられるものであり、払出基板７５に目視で異常が発見された場合にはメイン基板ボックス８１をベース板４８から取外し、メイン基板ボックス８１の取外し状態で払出基板ボックス７４をベース板４８から取外すことができる。
【００３３】
メイン基板８４には、図５に示すように、メイン制御回路８５が搭載されている。このメイン制御回路８５はメイン基板ボックス８１内に収納されたものであり、始動口センサ２９はケーブル５８を介してメイン制御回路８５に接続され、カウントセンサ３８はケーブル５９と対のコネクタ５５と中継基板４９のコネクタ５１のそれぞれを介してメイン制御回路８５に接続され、特別入賞口ソレノイド３７はケーブル６０と対のコネクタ５６と中継基板４９のコネクタ５２のそれぞれを介してメイン制御回路８５に接続されている。このメイン制御回路８５はマイクロコンピュータを主体に構成されたものであり、始動口センサ２９から出力される始動信号およびカウントセンサ３８から出力されるカウント信号のそれぞれを検出した場合に払出コマンドを設定する。このメイン制御回路８５は払出制御回路７６に接続されたものであり、払出コマンドを設定した場合には払出コマンドの設定結果を払出制御回路７６に送信する。この払出コマンドは遊技球を上皿９内に払出すことを指令するものであり、払出制御回路７６は払出コマンドの設定結果を受信した場合には払出モータ４２を駆動することで上皿９内に遊技球を賞品として払出す。
【００３４】
メイン制御回路８５は始動口センサ２９から始動信号が出力されたと判断した場合に大当りカウンタの現在の計測値を検出する。この大当りカウンタはメイン制御回路８５が一定時間（例えば４ｍｓｅｃ）が経過する毎に単位値（例えば「１」）だけ更新するものであり、大当りカウンタの更新処理は予め決められた下限値（例えば「０」）を基準に予め決められた上限値（例えば「１００」）まで加算された後に下限値に戻して循環的に行われる。このメイン制御回路８５は大当りカウンタの検出結果を予め決められた大当り値（例えば「７」）と比較し、大当りカウンタの検出結果が大当り値と同一である場合に大当りであると判定し、大当りカウンタの検出結果が大当り値と相違している場合に外れであると判定するものであり、大当りであると判定した場合には大当りコマンドを設定し、外れであると判定した場合には外れコマンドを設定する。
【００３５】
メイン制御回路８５は、図５に示すように、演出制御回路４６に接続されたものであり、大当りコマンドを設定した場合には演出制御回路４６に大当りコマンドを送信し、外れコマンドを設定した場合には演出制御回路４６に外れコマンドを送信する。この演出制御回路４６は大当りコマンドを受信した場合には識別図柄を大当りの組合せに設定し、外れコマンドを受信した場合には識別図柄を外れの組合せに設定する。この識別図柄は左列の図柄要素と中列の図柄要素と右列の図柄要素の組合せからなるものであり、大当りの組合せとは左列の図柄要素と中列の図柄要素と右列の図柄要素のそれぞれが相互に同一な組合せを称し、外れの組合せとは左列の図柄要素と中列の図柄要素と右列の図柄要素のそれぞれが相互に同一ではない組合せを称する。
【００３６】
演出制御回路４６は識別図柄の組合せを設定した場合に図柄遊技の映像を表示する。この図柄遊技の映像は図柄表示器３２に左列の図柄要素と中列の図柄要素と右列の図柄要素のそれぞれを可変状態および可変停止状態で順に表示するものであり、左列の図柄要素〜右列の図柄要素のそれぞれの可変表示は８種類の図柄要素「１」「２」「３」「４」「５」「６」「７」「８」を予め決められた順序「１」→「２」→「３」→「４」→「５」→「６」→「７」→「８」→「１」・・・で循環的に変化させることで行われる。この図柄遊技の映像では左列の図柄要素が１番目に可変停止し、右列の図柄要素が２番目に可変停止し、中列の図柄要素が３番目に可変停止する。これら左列の図柄要素〜中列の図柄要素のそれぞれの停止表示は識別図柄が設定結果に応じた組合せとなるように行われるものであり、メイン制御回路８５が外れであると判定した場合には最終の中列の図柄要素が停止表示された時点で図柄表示器３２に識別図柄が外れの組合せで表示され、大当りであると判定した場合には最終の中列の図柄要素が停止表示された時点で図柄表示器３２に識別図柄が大当りの組合せで表示される。このメイン制御回路８５は大当りであると判定した場合には図柄表示器３２に最終の中列の図柄要素が停止表示された後に特別入賞口ソレノイド３７に駆動電源を印加するものであり、特別入賞口３４は図柄表示器３２に識別図柄が大当りの組合せで停止表示された場合に開放され、図柄表示器３２に識別図柄が外れの組合せで停止表示された場合に開放されない。
【００３７】
メイン基板ボックス８１の前ケース８２には、図１１に示すように、操作板８６が固定されている。この操作板８６は前ケース８２の左側面から突出する垂直な板状をなすものであり、メイン基板ボックス８１の閉鎖状態で上取付台６２の上座面６４および下取付台６３の下座面６５のそれぞれに後方から面接触する。この操作板８６は、図１２に示すように、メイン基板ボックス８１の閉鎖状態でケーブル収納部６８の後面を左直状部７３を除いて閉鎖することでケーブル５９およびケーブル６０のそれぞれがケーブル収納部６８内から後方へ脱落することを防止するものであり、メイン基板ボックス８１の開放状態および取外し状態のそれぞれでは操作板８６がケーブル収納部６８の後面を開放することでケーブル５９およびケーブル６０のそれぞれがケーブル収納部６８内に対して着脱されることを許容する。この操作板８６には上貫通孔および下貫通孔が形成されている。これら上貫通孔および下貫通孔のそれぞれは円形状をなすものであり、メイン基板ボックス８１の閉鎖状態では操作板８６の上貫通孔が上取付台６２の上貫通孔６６に後方から重なり、操作板８６の下貫通孔が下取付台６３の下貫通孔６７に後方から重なる。
【００３８】
上取付台６２の上貫通孔６６内には、図１１に示すように、後方から操作板８６の上貫通孔を通してナイラッチ８７のプランジャ８８が挿入されている。このプランジャ８８は円柱状をなすものであり、プランジャ８８の外周面には鍔部８９が固定されている。この鍔部８９は操作板８６の上貫通孔に比べて径大な円環状をなすものであり、操作板８６の上貫通孔の周縁部に後方から接触している。このナイラッチ８７のプランジャ８８にはグロメット９０が固定されている。このグロメット９０は外力が加わることで拡径状態から縮径状態に弾性変形することが可能なものであり、ナイラッチ８７の鍔部８９が操作板８６に後方から接触した状態ではグロメット９０が上取付台６２の上貫通孔６６内で縮径状態になることに基づいて上貫通孔６６の内周面に弾性復元力で係合し、操作板８６がグロメット９０の係合力で上取付台６２に締結されている。このナイラッチ８７のプランジャ８８には頭部９１が形成されている。この頭部９１は作業者が手指で把持することが可能なものであり、作業者が頭部９１を把持して後方へ操作した場合にはグロメット９０が上取付台６２の上貫通孔６６内および操作板８６の上貫通孔内のそれぞれから係合力に抗して抜取られる。
【００３９】
下取付台６３の下貫通孔６７内には、図１１に示すように、後方から操作板８６の下貫通孔を通してナイラッチ８７のプランジャ８８が挿入されている。このナイラッチ８７は操作板８６を上取付台６２に締結するナイラッチ８７と同一構成のものであり、ナイラッチ８７の鍔部８９が操作板８６の下貫通孔の周縁部に後方から接触した状態ではグロメット９０が下取付台６３の下貫通孔６７の内周面に係合することで操作板８６が下取付台６３に締結され、作業者が頭部９１を把持して後方へ操作した場合にはグロメット９０が下取付台６３の下貫通孔６７内および操作板８６の下貫通孔内のそれぞれから係合力に抗して抜取られる。
【００４０】
メイン基板ボックス８１は、図７に示すように、操作板８６が上取付台６２および下取付台６３のそれぞれにナイラッチ８７を介して締結されることで閉鎖状態に移動不能に固定されたロック状態になるものであり、作業者が上取付台６２および下取付台６３のそれぞれから操作板８６を通してナイラッチ８７を抜取ることで閉鎖状態から開放状態に向けて操作することが可能なアンロック状態になり、作業者が上取付台６２および下取付台６３のそれぞれに操作板８６を通してナイラッチ８７を再び押込むことでアンロック状態からロック状態に戻る。この操作板８６には、図１２に示すように、２個のナイラッチ８７相互間に位置して摘み９２が固定されている。この摘み９２は水平な板状をなすものであり、メイン基板ボックス８１はアンロック状態で摘み９２を把持して閉鎖状態および開放状態相互間で操作される。
【００４１】
上取付台６２には、図６に示すように、上貫通孔６６の上方に位置して貫通孔９３が形成されており、貫通孔９３内には、図１１に示すように、操作板９４の貫通孔を通してナイラッチ８７のプランジャ８８が挿入されている。この操作板９４は払出基板ボックス７４に接合されたものであり、ナイラッチ８７の鍔部８９が操作板９４の貫通孔の周縁部に後方から接触した状態ではグロメット９０が上取付台６２の貫通孔９３の内周面に係合することで操作板９４が上取付台６２に締結され、払出基板ボックス７４がナイラッチ８７の締結力でベース板４８の上取付台６２に固定される。このナイラッチ８７の頭部９１は、図７に示すように、メイン基板ボックス８１の閉鎖状態で後方から把持不能に覆われるものであり、メイン基板ボックス８１の閉鎖状態ではナイラッチ８７を抜取ることが不能にされている。このナイラッチ８７の頭部９１はメイン基板ボックス８１の開放状態および取外し状態のそれぞれで後方から把持可能になるものであり、作業者がメイン基板ボックス８１の開放状態および取外し状態のそれぞれでナイラッチ８７の頭部９１を把持して後方へ操作した場合にはグロメット９０が上取付台６２の貫通孔９３および操作板９４の貫通孔のそれぞれから係合力に抗して抜取られ、払出基板ボックス７４がベース板４８から取外される。
【００４２】
上記実施例１によれば次の効果を奏する。
メイン基板ボックス８１の操作板８６を上取付台６２および下取付台６３のそれぞれにナイラッチ８７を介して固定することでケーブル収納部６８の後面を閉鎖し、メイン基板ボックス８１の操作板８６を上取付台６２および下取付台６３のそれぞれから取外すことでケーブル収納部６８の後面を開放した。このため、メイン基板ボックス８１の操作板８６を上取付台６２および下取付台６３のそれぞれから取外した状態でケーブル５９およびケーブル６０のそれぞれの一部をケーブル収納部６８内に挿入し、メイン基板ボックス８１の操作板８６を上取付台６２および下取付台６３のそれぞれにナイラッチ８７を介して取付けることでケーブル５９およびケーブル６０のそれぞれの一部をケーブル収納部６８内に脱落不能に固定できる。従って、一端部がメイン基板ボックス８１の前方であって遊技盤２１より後方の前方領域内に配置され且つ他端部がメイン基板ボックス８１の外周部の外周領域内に配置されたケーブル５９およびケーブル６０であっても、専用のハーネスフックを使用することなく機構盤４３に簡単に固定できる。
【００４３】
上記実施例１においては、上取付台６２の上貫通孔６６の内周面に後方から操作板８６の上貫通孔内を通してネジを螺合し、下取付台６３の下貫通孔６７の内周面に後方から操作板８６の下貫通孔内を通してネジを螺合し、操作板８６を上取付台６２および下取付台６３のそれぞれにネジで着脱可能に固定しても良い。これら両ネジのそれぞれの螺合状態はメイン基板ボックス８１を一定位置に固定する第１の状態に相当するものであり、メイン基板ボックス８１は一方のネジを上取付台６２および操作板８６のそれぞれから取外し、他方のネジを下取付台６３および操作板８６のそれぞれから取外すことで一定位置から除去される。これら両ネジのそれぞれの取外し状態は第２の状態に相当する。
【００４４】
上記実施例１においては、メイン基板ボックス８１の前方に払出基板ボックス７４に換えて演出基板ボックス４５を配置しても良い。この場合には演出基板ボックス４５をメイン基板ボックス８１の開放状態および取外し状態のそれぞれで後方から内部を透視できるように透明にすると良い。
【００４５】
上記実施例には特許請求の範囲に記載された発明に加えて次の［発明１］が記載されている。
［発明１］
遊技球が発射されるものであって、遊技者側である前面に当該遊技球が転動することが可能な転動領域を有する遊技盤と、
前記遊技盤より後方に設けられ、後方から内部を透視することが可能なものであって内部に第１の基板が収納された第１の基板ボックスと、
前記遊技盤より後方に設けられ、前記第１の基板ボックスを後方から覆う閉鎖状態および前記第１の基板ボックスを後方に開放する開放状態相互間で操作することが可能なものであって内部に第２の基板が収納された第２の基板ボックスと、
前記第２の基板ボックスに設けられ、前記第２の基板ボックスから突出する取付板と、
前記遊技盤より後方に設けられ、前記第２の基板ボックスの閉鎖状態で前記取付板が後方から対向する第１の取付台と、
前記遊技盤より後方に設けられ、前記第１の取付台に対して離間するものであって前記第２の基板ボックスの閉鎖状態で前記取付板が後方から対向する第２の取付台と、
前記第１の取付台および前記第２の取付台相互間に設けられ、後面が開口するものであって電気的な配線の一部が挿入された隙間状の配線収納部を備え、
前記第２の基板ボックスは、
前記取付板を前記第１の取付台および前記第２の取付台のそれぞれに取付具を介して取付けることで閉鎖状態にロックされたロック状態になるものであって、前記取付板を前記第１の取付台および前記第２の取付台のそれぞれから取外すことで閉鎖状態から開放状態に向けて操作することが可能なアンロック状態になるものであり、
前記取付板は、
前記第２の基板ボックスの閉鎖状態で前記配線の一部が前記配線収納部の後面から脱落することを防止するように前記配線収納部の後面を後方から閉鎖するものであって、前記第２の基板ボックスの開放状態で前記配線収納部の後面を開放するものであることを特徴とするパチンコ遊技機。  
【符号の説明】
【００４６】
２１は遊技盤、２６は遊技領域（転動領域）、５８はケーブル（配線）、５９はケーブル（配線）、６０はケーブル（配線）、６２は上取付台（取付台）、６３は下取付台（取付台）、６８はケーブル収納部部（配線収納部）、８１はメイン基板ボックス（遊技部品）、８６は操作板（取付板）、８７はナイラッチ（固定具）を示している。
【図１】
2010207326.tif 000003
【図２】
2010207326.tif 000004
【図３】
2010207326.tif 000005
【図４】
2010207326.tif 000006
【図５】
2010207326.tif 000007
【図６】
2010207326.tif 000008
【図７】
2010207326.tif 000009
【図８】
2010207326.tif 000010
【図９】
2010207326.tif 000011
【図１０】
2010207326.tif 000012
【図１１】
2010207326.tif 000013
【図１２】
2010207326.tif 000014